(57)【特許請求の範囲】
【請求項１】
デジタル放送を受信するデジタル受信部と、アナログ放送を受信するアナログ受信部を有し、
デジタル受信部で受信したデジタル信号をアナログ信号に変換するデータ変換部と、
データ変換部で変換されたアナログ信号の聴感を補正する補正部と、
該補正部で補正されたアナログ信号と前記アナログ受信部で受信されたアナログ信号とを比較する比較部と、
該比較部の比較結果に基いて前記デジタル受信部またはアナログ受信部からの出力信号を選択して出力する選択出力部とを備えたことを特徴とする選局システム。
【請求項２】
デジタル放送を受信するデジタル受信部と、アナログ放送を受信するアナログ受信部を有し、
アナログ受信部で受信したアナログ信号をデジタル信号に変換するデータ変換部と、
データ変換部で変換されたデジタル信号の聴感を補正する補正部と、
該補正部で補正されたデジタル信号と前記デジタル受信部で受信されたデジタル信号とを比較する比較部と、
該比較部は比較結果に基いて前記デジタル受信部またはアナログ受信部からの出力信号を選択して出力する選択出力部とを備えたことを特徴とする選局システム。
【請求項３】
前記補正部による補正値を調整可能な可変手段を備えることを特徴とする請求項１または請求項２記載の選局システム。
【請求項４】
前記可変手段は操作スイッチを備え、スイッチ操作に基いて前記補正値を調整するものであることを特徴とする請求項３記載の選局システム。
【請求項５】
前記可変手段は操作スイッチを備え、操作スイッチが操作された時に選局されている局の出力信号レベルを基準にして前記補正値を調整するものであることを特徴とする請求項３記載の選局システム。
【発明の詳細な説明】
【０００１】
【発明の属する技術分野】
本発明は、受信状態のより良好な受信システムを選局する選局システムに係り、特に、メディアの異なる複数の受信システム間において受信システムを切り換える選局システムに関する。
【０００２】
【従来の技術】
従来の選局システムにおいては、２つの放送局からの受信波の受信レベルをそれぞれ検出して、比較回路で２つの受信レベルを比較し、受信レベルのより高い放送局を受信するように受信周波数を切り換える方法を採っていた。受信レベルとしては搬送波の信号レベル、検波された信号レベル等を用いていた。
【０００３】
【発明が解決しようとする課題】
同一メディア間、例えばアナログによるＦＭラジオ放送波で受信状態の良好な局に切り換える場合には、搬送波信号レベル、検波信号レベル等の受信レベルを比較して、信号レベルの高い局に切り換えればよかった。しかし、近年、メディアの種類が多様化し、例えばアナログ信号とデジタル信号、又は同じアナログ信号でもＦＭラジオとテレビ等の異なるメディアが混在するようになった。このような状態でも、受信状態の良好な局を選局する必要が生じてきた。しかし、アナログ放送でもＦＭ、ＡＭ放送方式の違いにより同一受信レベルでも受信状態に差が生じたり、デジタル放送同志でも放送方式の違いにより受信信号のエラー率に差が生じたりする。従って、受信状態の良否を受信レベルで判定することが困難である。
【０００４】
本発明は、異なるメディア間でも受信状態を客観的に評価して、より良好な受信状態の局が選択できる選局システムを提供することを目的とする。
【０００５】
【課題を解決するための手段】
上記目的を達成するために本発明は、デジタル放送を受信するデジタル受信部と、アナログ放送を受信するアナログ受信部を有し、デジタル受信部で受信したデジタル信号をアナログ信号に変換するデータ変換部と、データ変換部で変換されたアナログ信号の聴感を補正する補正部と、該補正部で補正されたアナログ信号と前記アナログ受信部で受信されたアナログ信号とを比較する比較部と、該比較部の比較結果に基いて前記デジタル受信部またはアナログ受信部からの出力信号を選択して出力する選択出力部とを備えたことを特徴とするものである。
【０００６】
上記目的を達成するために本発明は、デジタル放送を受信するデジタル受信部と、アナログ放送を受信するアナログ受信部を有し、アナログ受信部で受信したアナログ信号をデジタル信号に変換するデータ変換部と、データ変換部で変換されたデジタル信号の聴感を補正する補正部と、該補正部で補正されたデジタル信号と前記デジタル受信部で受信されたデジタル信号とを比較する比較部と、該比較部は比較結果に基いて前記デジタル受信部またはアナログ受信部からの出力信号を選択して出力する選択出力部とを備えたことを特徴とするものである。
【０００７】
前記補正部による補正値を調整可能な可変手段を備えることを特徴とする。
また、前記可変手段は操作スイッチを備え、スイッチ操作に基いて前記補正値を調整するものであることを特徴とする。
さらに、前記可変手段は操作スイッチを備え、操作スイッチが操作された時に選局されている局の出力信号レベルを基準にして前記補正値を調整するものであることを特徴とする。
【０００９】
【実施例】
図１は本発明の第１の実施例の選局システムの構成を示すブロック図である。以下、図に従って説明する。
１１、２１は放送波を受信する受信システムで、受信システム１１はデジタル放送を受信し、受信システム２１はアナログ放送を受信する。１２、２２は受信システム１１、２１により受信した信号レベルを検知する受信状態検知部で、例えば受信波の検波信号レベル、復調デジタルデータのエラー率を検知する。１３、２３は受信状態検知部１２、２２で検知した信号レベルのデータを比較部５での比較可能なデータに変換するデータ変換部である。１４、２４は受信システム間で異なる受信状態を統一するための補正部である。３は受信システム１１、２１のいずれの入力を出力部４に出力するかを比較部５の比較結果に基いて選択するセレクタである。４はアンプ、スピーカ等よりなる出力部である。５は補正部１４、２４で補正された出力を比較する比較部で、マイクロコンピュータ（マイコン）等で構成されたデジタル比較器である。
【００１０】
次に、動作について説明する。受信システム（デジタルラジオ等のデジタル放送受信部）１１はデジタル放送（デジタルラジオ放送波）を受信し、その受信品質を示すデジタルデータのエラー率は受信状態検知部１２で検知される。受信状態検知部１２の検知出力はデジタルデータであり、比較部５がデジタル比較器であるのでデータ変換部（無変換器）１３ではデータ変換は行わず、そのまま補正部２４に出力される。一方、受信システム（ＡＭラジオ等のアナログ放送受信部）２１はアナログ放送（ＡＭラジオ放送波）を受信し、その受信品質を示す検波信号レベルは受信状態検知部２２でアナログ値（データ）として検知（例えば、オペアンプ出力で２Ｖ）される。受信状態検知部２２の検知出力は比較部５のデジタル比較器に合わせるために、データ変換部（Ａ／Ｄ変換器）２３においてアナログデータがデジタルデータに変換されて、補正部２４に出力される。
【００１１】
そして、それぞれの検知出力は、補正部１４、２４で聴感が同じであれば同じデータとなるように補正される。尚、補正の詳細は第２の実施例において述べる。比較部５は変換されたデジタルデータ同志を比較して、高い受信品質の受信システムの信号を出力部４に出力するようにセレクタ３に指示する。その結果、出力部４へは受信状態の良好な受信システムの信号が出力される。
【００１２】
このように、データ変換部及び補正部で補正された後、比較可能なレベルに変換されて比較部で比較できるので、異なった種類の受信システム間においても、受信状態の良好な局の選択が容易にできる。
以上のように本実施例では、受信システムの異なる２つの放送波を受信して、より受信状態のよい受信システムに自動的に切り換えることが可能になる。
【００１４】
図２は本発明の第２の実施例の選局システムの構成を示すブロック図である。
以下、図に従って説明する。
６は補正部１４、２４の補正値を予め調整するための補正値調整部である。７は調整すべき補正値を入力する入力部で、聴視者がマニュアルにより調整すべき値を入力するデータ入力部７１、またはスイッチ８２の押している時間に対応して調整すべき値を入力するための時間測定部７２、またはスイッチ８３の押した回数に対応して調整すべき値を入力するための回数測定部７３、またはスイッチ８４の押した時の強さに対応して調整すべき値を入力するための強さ測定部７４から構成されている。尚、受信システム１１、２１、受信状態検知部１２、２２、データ変換部１３、２３、補正部１４、２４、セレクタ３、出力部４、比較部５は第１の実施例と名称、機能及び作用が同じであるため、同一番号を付し説明は省略する。
【００１５】
次に、調整動作について説明する。例えば、データ入力部７１で補正値を調整する場合には、補正部１４、２４に対して良好な受信状態が得られる最低値を入力する。また、時間測定部７２で補正値を調整する場合には、補正部１４、２４に対して良好な受信状態が得られる最低の時間押し続ける。以下、回数測定部７３及び強さ測定部８４で補正値を調整する場合にも良好な受信状態が得られる最低の回数及び強さで操作を行えばよい。
【００１６】
また、受信中にセレクタ３から出力されている出力信号（例えば、受信システム１１が選局されている）を補正値調整部６に入力して、良好な受信状態であると聴取者が判断した時に、スイッチ８０を押して補正部１４の補正値を確定する。同様に、受信中にセレクタ３から出力されている出力信号（受信システム２１が選局されている）を補正値調整部６に入力して、良好な受信状態であると聴取者が判断した時に、スイッチ８０を押して補正部２４の補正値を確定する。このようにすると、聴取者が良好な受信状態にあると判断した時の補正値に設定できる。
【００１７】
以上のように本実施例では、受信システムの異なる２つの放送波の受信状態を調整する補正が簡単に行える。
【００１８】
【発明の効果】
以上説明したように、本発明では、異なるメディア間でも受信状態を客観的に評価して、より良好な受信状態の局が選択できる選局システムが提供できる。
【図面の簡単な説明】
【図１】  本発明の第１の実施例の選局システムの構成を示すブロック図である。
【図２】  本発明の第２の実施例の選局システムの構成を示すブロック図である。
【図１】
0003777003.tif 000002
【図２】
0003777003.tif 000003